(57)【要約】【課題】発電プラントの停止時及び起動時の水処理において、起動時の水処理工程を短縮することができる発電プラントの停止・起動時の水処理方法及びその装置を提供する。【解決手段】発電プラントのボイラに給水され、ボイラ、蒸気駆動タービン及び復水器で循環使用される給水の水処理装置において、発電プラント停止時に前記給水に注入する薬品量を発電プラントの停止期間に対応して記憶した記憶手段１と、発電プラントの予測停止期間を入力する停止期間入力手段２と、発電プラント停止時に入力された停止期間に対応した薬品量を前記給水に注入する薬品注入手段３とから構成してある。【選択図】図１
2008075983.tif 000002
【特許請求の範囲】
【請求項１】
発電プラントのボイラに給水され、ボイラ、蒸気駆動タービン及び復水器で循環使用される給水の水処理方法において、発電プラント停止時に停止期間を予測し、この予測した停止期間に対応して予め定めた薬品量を前記給水に注入するようにした発電プラントの停止・起動時の水処理方法。
【請求項２】
発電プラントの停止期間に対応して発電プラント起動時の水処理手順を予め定めてあり、発電プラント起動時に該水処理手順に基づいて前記給水の水処理を行うようにした請求項１に記載の発電プラントの停止・起動時の水処理方法。
【請求項３】
発電プラントのボイラに給水され、ボイラ、蒸気駆動タービン及び復水器で循環使用される給水の水処理装置において、発電プラント停止時に前記給水に注入する薬品量を発電プラントの停止期間に対応して記憶した記憶手段と、発電プラントの予測停止期間を入力する停止期間入力手段と、発電プラント停止時に入力された停止期間に対応した薬品量を前記給水に注入する薬品注入手段とからなる発電プラントの停止・起動時の水処理装置。
【請求項４】
前記記憶手段が発電プラントの停止期間に対応した発電プラント起動時の水処理手順を記憶してあり、発電プラント起動時に該水処理手順に基づいて前記給水の水処理を行う水処理手段を備えた請求項３に記載の発電プラントの停止・起動時の水処理装置。
【発明の詳細な説明】
【技術分野】
【０００１】
本発明は、発電プラントの停止・起動時の水処理方法及びその装置に関する。
【背景技術】
【０００２】
発電プラントは、ボイラに給水され、ボイラ、蒸気駆動タービン及び復水器で循環使用される給水の水質を維持するために、アンモニアやヒドラジン等の薬品を給水に注入して水質を維持する水処理手段を備えている。この水処理手段は、給水の電気伝導率、溶存酸素濃度、ｐＨ、ヒドラジン濃度、鉄イオン濃度等の測定指標を監視しながら水処理を行っている。また、給水の酸化還元電位とボイラ水管構成材料の腐食電位とを検出して、給水の水質を一元的且つ直接に表して監視する水質監視方法も知られている（例えば、特許文献１参照）。
【０００３】
【特許文献１】特開２００３−２５４５０３号公報
【発明の開示】
【発明が解決しようとする課題】
【０００４】
点検や運転調整により発電プラントを停止させるときには、系統内に給水が長時間滞って水質が悪化しやすいために、停止工程においてアンモニアやヒドラジン等の薬品を給水に注入して停止期間中の水質を維持している。しかし、従来の水処理方法においては、停止時の薬品注入量の監視ができないために、給水への薬品の注入量が少ないと停止期間中の給水の水質を維持することができない。一方、給水への薬品の注入量が多いと、発電プラント起動時に薬品の濃度が高いために給水のブロー時間が長くなるという問題があった。
【０００５】
また、従来の水処理方法は、発電プラント起動時に系統内の給水をサンプリングし、水質を実測しながら水処理を行っていたために、起動時の水処理の各工程に時間を要するという課題があった。
そこで、本発明は、発電プラントの停止時及び起動時の水処理において、起動時の水処理工程を短縮することができる発電プラントの停止・起動時の水処理方法及びその装置を提供するものである。
【課題を解決するための手段】
【０００６】
本発明は、上記課題を解決するために、発電プラントのボイラに給水され、ボイラ、蒸気駆動タービン及び復水器で循環使用される給水の水処理方法において、発電プラント停止時に停止期間を予測し、この予測した停止期間に対応して予め定めた薬品量を前記給水に注入するようにした発電プラントの停止・起動時の水処理方法を提供するものである。
【０００７】
また、本発明は、発電プラントの停止期間に対応して発電プラント起動時の水処理手順を予め定めてあり、発電プラント起動時に該水処理手順に基づいて前記給水の水処理を行うようにした請求項１に記載の発電プラントの停止・起動時の水処理方法を提供するものである。
【０００８】
また、本発明は、発電プラントのボイラに給水され、ボイラ、蒸気駆動タービン及び復水器で循環使用される給水の水処理装置において、発電プラント停止時に前記給水に注入する薬品量を発電プラントの停止期間に対応して記憶した記憶手段と、発電プラントの予測停止期間を入力する停止期間入力手段と、発電プラント停止時に入力された停止期間に対応した薬品量を前記給水に注入する薬品注入手段とからなる発電プラントの停止・起動時の水処理装置を提供するものである。
【０００９】
また、本発明は、前記記憶手段が発電プラントの停止期間に対応した発電プラント起動時の水処理手順を記憶してあり、発電プラント起動時に該水処理手順に基づいて前記給水の水処理を行う水処理手段を備えた請求項３に記載の発電プラントの停止・起動時の水処理装置を提供するものである。
【発明の効果】
【００１０】
本発明に係る発電プラントの停止・起動時の水処理方法によれば、発電プラントのボイラに給水され、ボイラ、蒸気駆動タービン及び復水器で循環使用される給水の水処理方法において、発電プラント停止時に停止期間を予測し、この予測した停止期間に対応して予め定めた薬品量を前記給水に注入するようにした構成を有することにより、発電プラント停止時に停止期間に対応した適切な薬品量を給水に注入することができ、停止期間中の給水の水質を確実に維持することができると共に、発電プラント起動時のブロー時間を短縮して起動時間を短縮することができる効果がある。
【００１１】
また、本発明は、発電プラントの停止期間に対応して発電プラント起動時の水処理手順を予め定めてあり、発電プラント起動時に該水処理手順に基づいて前記給水の水処理を行うようにした請求項１に記載の構成を有することにより、発電プラント起動時に給水系統内の水をサンプリングして水質を測定することなく、停止期間に対応した水処理手順によって給水の水質を維持して発電プラントを起動することができ、更に起動時間を短縮することができる効果がある。
【００１２】
また、本発明に係る発電プラントの停止・起動時の水処理装置によれば、発電プラントのボイラに給水され、ボイラ、蒸気駆動タービン及び復水器で循環使用される給水の水処理装置において、発電プラント停止時に前記給水に注入する薬品量を発電プラントの停止期間に対応して記憶した記憶手段と、発電プラントの予測停止期間を入力する停止期間入力手段と、発電プラント停止時に入力された停止期間に対応した薬品量を前記給水に注入する薬品注入手段とからなる構成を有することにより、発電プラント停止時に停止期間に対応した適切な薬品量を給水に注入することができ、停止期間中の給水の水質を確実に維持することができると共に、発電プラント起動時のブロー時間を短縮して起動時間を短縮することができる効果がある。
【００１３】
また、本発明は、前記記憶手段が発電プラントの停止期間に対応した発電プラント起動時の水処理手順を記憶してあり、発電プラント起動時に該水処理手順に基づいて前記給水の水処理を行う水処理手段を備えた請求項３に記載の構成を有することにより、発電プラント起動時に給水系統内の水をサンプリングして水質を測定することなく、停止期間に対応した水処理手順によって給水の水質を維持して発電プラントを起動することができ、更に起動時間を短縮することができる効果がある。
【発明を実施するための最良の形態】
【００１４】
本発明の実施の形態を図示する実施例に基づいて説明する。
本発明に係る発電プラントの停止・起動時の水処理装置は、発電プラントのボイラに給水され、ボイラ、蒸気駆動タービン及び復水器で循環使用される給水を水処理することができるようにしてあり、発電プラント停止時に前記給水に注入する薬品量を発電プラントの停止期間に対応して記憶した記憶手段１と、発電プラントの予測停止期間を入力する停止期間入力手段２と、発電プラント停止時に入力された停止期間に対応した薬品量を前記給水に注入する薬品注入手段３とから構成してある。
【実施例１】
【００１５】
図２は、給水の水処理系統図を示している。給水は、蒸気を冷却水で冷やして水に戻す復水系統１０と、この復水を昇圧してボイラへ給水する給水系統１１と、ボイラで発生した蒸気をタービンに供給する蒸気系統１２を循環して使用されている。
図２において、１３は試料採取点であり、給水を採取してｐＨ値、電気伝導率、ヒドラジン濃度及び鉄イオン濃度等の水質を計測することができるようにしてある。また、１４は薬品注入点であり、ヒドラジン等の薬品をボイラ水に注入してボイラ水の水質を維持することができるように構成してある。
【００１６】
図１に示す実施例において、記憶手段１は、中央制御装置５又は中央制御装置５に接続された端末のハードディスク等の記憶装置からなる。記憶手段１は、発電プラント停止時に給水に注入する薬品量を発電プラントの停止期間に対応して記憶する薬品量記憶手段と、発電プラントの停止期間に対応した発電プラント起動時の水処理手順を記憶する水処理手順記憶手段を備えている。
【００１７】
薬品量記憶手段は、図２に示すように、ＤＳＳ（毎日起動停止）、ホットバンキング状態のＷＳＳ（週末起動停止）、強制冷却状態のＷＳＳ、ＬＳＳ（長期起動停止）に発電プラントの停止期間を分類してある。薬品量記憶手段は、この停止期間の分類に対応して給水に注入するヒドラジンやアンモニア等の薬品量を記憶してある。また、ＷＳＳでは、停止期間が短い間（ホットバンキング状態）はボイラ内の圧力が大気圧より高く、ボイラ内は外気に対してシールされているが、停止期間が長くなるとボイラ内の圧力が低下して酸素が入りやすくなるために、ホットバンキング状態と強制冷却状態に分類を分けて薬品量を管理している。
【００１８】
水処理手順記憶手段は、図４〜６に示すように、発電プラントの停止期間に対応した発電プラント起動時の水処理手順を記憶してある。図４はＤＳＳから起動時の水処理手順を示し、図５はＷＳＳ（ホットバンキング）から起動時の水処理手順を示し、図６はＷＳＳ（強制冷却）から起動時の水処理手順を示している。水処理手順記憶手段は、停止期間に対応して、発電プラント起動時の給水へのヒドラジンやアンモニア等の薬品の注入量を記憶してあると共に、給水のブロー時間を記憶してある。
【００１９】
図１に示す実施例において、停止期間入力手段２は、中央制御装置５に接続されたパーソナルコンピュータ等の端末からなり、発電プラントの予測停止期間を入力することができるように構成してある。停止期間入力手段２から入力された予測停止期間は、中央制御装置５へ送られるようにしてある。
【００２０】
薬品注入手段３は、停止期間入力手段２から入力された予測停止期間に対応した薬品量を記憶手段１から呼び出し、該薬品量に基づいてヒドラジンやアンモニア等の薬品を給水に注入することができるように構成してある。実施例において、給水に注入する薬品の量は、薬品の濃度、注入ポンプのストローク、注入時間などで調節することができるようにしてある。
【００２１】
水処理手段４は、発電プラント起動時に、停止期間に対応した水処理手順を記憶手段１から呼び出し、該水処理手順に基づいて給水の水処理を行うことができるように構成してある。水処理手段４は、停止期間に対応した水処理手順を定めてあることにより、図４〜６に示すように、各薬品注入工程及びブロー工程において水質の測定が不要になり、点火前の給水の電気伝導率の確認のみで水処理を行うことができるようにしてある。また、水処理手段４は、電気伝導率の確認後に、薬品注入を自動に切り替えて通常運転時の水処理工程に移行することができるようにしてある。
【００２２】
なお、記憶手段１は、発電プラントの設備更新等による薬品注入量の変化などに対応できるように、記憶手段１に記憶された薬品量及び水処理手順を変更することができる変更手段を備えていることが好ましい。
【図面の簡単な説明】
【００２３】
【図１】本発明に係る発電プラントの停止・起動時の水処理装置の一実施例を示す構成図。
【図２】その一実施例の給水の水処理系統図。
【図３】その一実施例の停止期間と水処理の関係を説明する図。
【図４】その一実施例の起動時水処理の一例を示すチャート図。
【図５】その一実施例の起動時水処理の他の一例を示すチャート図。
【図６】その一実施例の起動時水処理の他の一例を示すチャート図。
【符号の説明】
【００２４】
１  記憶手段
２  停止期間入力手段
３  薬品注入手段
４  水処理手段
５  中央制御装置
１０  復水系統
１１  給水系統
１２  蒸気系統
１３  試料採取点
１４  薬品注入点
【図１】
2008075983.tif 000003
【図２】
2008075983.tif 000004
【図３】
2008075983.tif 000005
【図４】
2008075983.tif 000006
【図５】
2008075983.tif 000007
【図６】
2008075983.tif 000008